(57)【要約】【課題】  インターホン子機は映像信号をＮＴＳＣ信号で出力し、院内カメラはデジタル信号で映像信号を出力しても、ナースコール親機の同一のモニタで双方の映像を表示できるナースコールシステムを提供することを目的としている。【解決手段】  病室Ａ１，Ａ２等に院内の状況を撮像する院内カメラ６を設置し、病院の出入り口に訪問者を撮像する子機カメラ３３を具備したインターホン子機５を設置し、ナースコール親機３にはＮＴＳＣ映像を表示するモニタ１１を設けた。院内カメラ６は、デジタル映像信号を出力し、子機カメラ３３はＮＴＳＣ信号で映像信号を出力し、制御機４にデジタル映像信号をＮＴＳＣ映像信号に変換する映像信号変換部を設け、院内カメラ６の撮像映像をＮＴＳＣ信号に変換してナースコール親機３に送信させた。【選択図】  図１
2010075376.tif 000002
【特許請求の範囲】
【請求項１】
病室のベッド毎に設置されて患者が看護師を呼び出して通話する機能を備えたナースコール子機と、前記ナースコール子機が接続されて呼び出しを報知する廊下灯と、ナースステーションに設置されて前記ナースコール子機からの呼び出しに応答する機能を備えたナースコール親機と、前記ナースコール子機と前記ナースコール親機との間の通信を制御する制御機と、病室等の適宜位置に設置され、院内の状況を撮像する複数の院内カメラと、病院の出入り口に設置され、訪問者等を撮像する子機カメラを具備して訪問者等が看護師等を呼び出して通話する機能を備えたインターホン子機と、前記ナースコール親機に備えられてＮＴＳＣ信号の映像を表示するモニタとを有するナースコールシステムであって、
前記院内カメラは、デジタル映像信号を出力し、前記子機カメラは映像信号をＮＴＳＣ信号で出力する一方、前記ナースコール親機或いは前記制御機がデジタル映像信号をＮＴＳＣ映像信号に変換する映像信号変換部を備え、前記院内カメラの撮像映像及び前記子機カメラの撮像映像の何れも前記モニタに表示可能としたことを特徴とするナースコールシステム。
【請求項２】
前記ナースコール親機は、前記院内カメラ及び前記子機カメラの撮像を順次前記モニタに表示させる監視ボタンを備え、
前記ナースコール親機或いは前記制御機が、前記院内カメラ及び前記子機カメラの撮像映像表示順を記憶する監視順記憶部と、前記監視ボタン操作を受けて、前記院内カメラ及び前記玄関カメラを所定の順に撮像動作させる監視動作制御部を有することを特徴する請求項１記載のナースコールシステム。
【請求項３】
前記ナースコール親機は、前記ナースコール子機及びインターホン子機を所定時間間隔で順次集音動作させる聴取ボタンを備え、
前記ナースコール親機或いは前記制御機が、前記ナースコール子機及び前記インターホン子機の聴取順を記憶した聴取順記憶部と、前記ナースコール子機と前記院内カメラの関係を記憶したカメラ配置記憶部と、前記聴取ボタン操作を受けて前記ナースコール子機及び前記インターホン子機の通話機能のうち少なくとも集音機能を順次能動とすると共に、前記子機カメラ及び院内カメラを前記カメラ配置記憶部の情報に従って動作させる聴取制御部とを有し、
看護師等により前記ナースコール親機から映像を見ながら順に聴取できること特徴とする請求項１記載のナースコールシステム。
【発明の詳細な説明】
【技術分野】
【０００１】
本発明はナースコールシステムに関し、特に、病院や病棟の出入り口に設置されたインターホン子機からの呼び出しに応答する機能を備えたナースコールシステムに関する。
【背景技術】
【０００２】
ナースコール子機を個々のベッドに設置すると共にナースコール親機をナースステーションに設置して、患者がナースコール子機を操作して呼び出しが成されたら、ナースステーションにおいて呼び出しが報音され、ナースコール親機から看護師による応答を可能としたナースコールシステムが普及している。そして、このようなナースコールシステムに、別途インターホン子機を接続し、インターホン子機からの呼び出しに対してもナースコール親機から応答できるよう構成されたシステムがある。
例えば、特許文献１では、病棟の出入口にインターホン子機を設置して、病棟に入ろうとする人物をナースコール親機からチェックできるようにしている。また、この特許文献１では、インターホン子機に備えたカメラにより訪問者を撮像してナースステーションにおいて人物を確認できるよう構成されている。
【０００３】
【特許文献１】特開２００４−３４４５３８号公報
【発明の開示】
【発明が解決しようとする課題】
【０００４】
上記特許文献１のナースコールシステムは、院内に設置された１台の監視カメラの映像と、インターホン子機のカメラが撮像した映像を表示することができる。しかしながら、双方のカメラともＮＴＳＣ信号により映像信号が伝送される構成に対して適用したものであり、映像を伝送する伝送線はカメラ毎に独立したものを必要としている。そのため、院内に複数のカメラを設置しようとした場合、配線作業が面倒なものとなるし映像の切換操作も面倒なものとなり、台数が制限されることになる。
【０００５】
そのため、院内に複数のカメラを設置する場合、カメラをデジタル信号を出力するものに変更すれば、配線作業が容易なＬＡＮ配線等が可能となり都合が良いが、その場合、信号形態を統一させる必要上、インターホン子機もデジタル信号で映像信号を出力するものが必要となる。しかしながら、そのようなデジタル信号を出力する既存のインターホン子機はないため、インターホン子機の近くにデジタル信号を出力する監視カメラ等を設置して信号の統一を図ったりしていた。
【０００６】
一方で、比較的小規模の病院に設置されるインターホンシステムの場合、モニタには安価なＮＴＳＣ仕様のものが使用される場合が多い。そのため、このような病院では全てのカメラをＮＴＳＣ仕様のものを使用したい。ところが、上述したように複数のカメラを院内に設置しようとした場合にＮＴＳＣ仕様のカメラは好ましくないため、インターホン装置とナースコールシステムを独立して設置して対応していた。
【０００７】
そこで、本発明はこのような問題点に鑑み、インターホン子機は映像信号をＮＴＳＣ信号で出力し、院内カメラはデジタル信号で映像信号を出力しても、ナースコール親機の同一のモニタで双方の映像を表示できるナースコールシステムを提供することを目的としている。
【課題を解決するための手段】
【０００８】
上記課題を解決する為に、請求項１の発明は、病室のベッド毎に設置されて患者が看護師を呼び出して通話する機能を備えたナースコール子機と、ナースコール子機が接続されて呼び出しを報知する廊下灯と、ナースステーションに設置されてナースコール子機からの呼び出しに応答する機能を備えたナースコール親機と、ナースコール子機とナースコール親機との間の通信を制御する制御機と、病室等の適宜位置に設置され、院内の状況を撮像する複数の院内カメラと、病院の出入り口に設置され、訪問者等を撮像する子機カメラを具備して訪問者等が看護師等を呼び出して通話する機能を備えたインターホン子機と、ナースコール親機に備えられてＮＴＳＣ信号の映像を表示するモニタとを有するナースコールシステムであって、院内カメラは、デジタル映像信号を出力し、子機カメラは映像信号をＮＴＳＣ信号で出力する一方、ナースコール親機或いは制御機がデジタル映像信号をＮＴＳＣ映像信号に変換する映像信号変換部を備え、院内カメラの撮像映像及び子機カメラの撮像映像の何れもモニタに表示可能としたことを特徴とする。
【０００９】
この構成によれば、デジタル信号で映像信号を出力する院内カメラと、ＮＴＳＣ信号で出力するインターホン子機の子機カメラの撮像映像の双方を簡易な構成のＮＴＳＣモニタに表示させることができる。従って、院内カメラの配線をＬＡＮ配線の如く容易に実施できるし、比較的小規模の病院で使用されるナースコール親機であってもモニタに双方の映像を表示させることができる。
また、インターホン装置とナースコール装置を一体化することができ、システム全体のコストダウンを図ることができるし、パーソナルコンピュータ等のデジタル機器を使用することなく映像を表示するので、シャットダウン等の心配が無く停止し難いシステムを構成できる。
【００１０】
請求項２の発明は、請求項１に記載の発明において、ナースコール親機は、院内カメラ及び子機カメラの撮像を順次モニタに表示させる監視ボタンを備え、ナースコール親機或いは制御機が、院内カメラ及び子機カメラの撮像映像表示順を記憶する監視順記憶部と、監視ボタン操作を受けて、院内カメラ及び玄関カメラを所定の順に撮像動作させる監視動作制御部を有することを特徴する。
この構成によれば、簡単なボタン操作で病院の出入り口を含めた複数のカメラ撮像映像をナースコール親機から見ることができる。よって、個々のカメラを起動させてモニタに表示させる面倒な操作をすること無く容易に各場所の状況を確認でき、不審者が侵入したり、地震発生等の非常時に活用できる。
【００１１】
請求項３の発明は、請求項１に記載の発明において、ナースコール親機は、ナースコール子機及びインターホン子機を所定時間間隔で順次集音動作させる聴取ボタンを備え、ナースコール親機或いは制御機が、ナースコール子機及びインターホン子機の聴取順を記憶した聴取順記憶部と、ナースコール子機と院内カメラの関係を記憶したカメラ配置記憶部と、聴取ボタン操作を受けてナースコール子機及びインターホン子機の通話機能のうち少なくとも集音機能を順次能動とすると共に、子機カメラ及び院内カメラをカメラ配置記憶部の情報に従って動作させる聴取制御部とを有し、看護師等によりナースコール親機から映像を見ながら順に聴取できること特徴とする。
この構成によれば、簡単なボタン操作で、入院患者や出入口の状況を順次聴取することができるし、更に関連した映像も確認できる。よって、地震発生等の非常時に速やかに状況を確認でき便利である。
【発明の効果】
【００１２】
本発明によれば、デジタル信号で映像信号を出力する院内カメラと、ＮＴＳＣ信号で出力するインターホン子機の子機カメラの撮像映像の双方を簡易な構成のＮＴＳＣモニタに表示させることができる。従って、院内カメラの配線をＬＡＮ配線の如く容易に実施できるし、比較的小規模の病院で使用されるナースコール親機であってもモニタに双方の映像を表示させることができる。
また、インターホン装置とナースコール装置を一体化することができ、システム全体のコストダウンを図ることができるし、パーソナルコンピュータ等のデジタル機器を使用することなく映像を表示するので、シャットダウン等の心配が無く停止し難いシステムを構成できる。
【発明を実施するための最良の形態】
【００１３】
以下、本発明を具体化した実施の形態を、図面に基づいて詳細に説明する。
図１は、本発明に係るナースコールシステムの一例を示す構成図であり、１は病室のベッド毎に設置されて患者が看護師を呼び出すためのナースコール子機、２はナースコール子機１が接続されて呼び出しを報知する廊下灯、３はナースステーションに設置されてナースコール子機１からの呼び出しに応答するためのナースコール親機、４はナースコール子機１とナースコール親機３との間の通信を制御する制御機、５は病院の出入口外部に設置されて急病人等の訪問者が呼出操作するインターホン子機、６は病院内の病室や共用部等適宜位置に設置される院内カメラである。
【００１４】
ナースコール子機１は、図示しないマイク及びスピーカを備えて壁面に設置されるプレート子機１ａと呼出ボタン１ｂとから成り、病室毎に廊下灯２に子機伝送線Ｌ１を介して接続されている。また、廊下灯２は廊下灯幹線Ｌ２を介して制御機４に接続され、ナースコール親機３は親機伝送線Ｌ３を介して制御機４に接続されている。そして、インターホン子機５は伝送線Ｌ４を介して制御機４に接続され、院内カメラ６はＬＡＮを形成する通信線Ｌ５を介して制御機４に接続されている。また、Ａ１，Ａ２・・は病室、Ｂはナースステーションを示している。
【００１５】
ナースコール親機３は、図２のブロック図に示すような回路構成を成し、ＮＴＳＣ映像を表示するモニタ１１、モニタ１１に表示する映像を制御する映像制御部１２、各種情報を記憶する親機メモリ１３、通話操作や映像表示操作等各種操作を行うための操作部１４、図示しないマイク及びスピーカを備えた通話部１５、ナースコール親機３全体を制御する親機ＣＰＵ１６、制御機４と通信する親機インターフェース（親機ＩＦ）１７を備えている。尚、図１において、３ａは患者情報の一覧を表示した患者ボードを示している。
【００１６】
制御機４は図３のブロック図に示すような回路構成を成し、院内カメラ６から伝送される映像信号をＮＴＳＣに変換する映像信号変換部２１、各種情報を記憶する制御機メモリ２２、制御機４全体を制御する制御機ＣＰＵ２３、ナースコール子機１及びインターホン子機５と通信するための第１インターフェース（第１ＩＦ）２４、ナースコール親機３と通信するための第２インターフェース（第２ＩＦ）２５、院内カメラ６と通信するための第３インターフェース（第３ＩＦ）２６等を備えている。
そして、インターホン子機５は図１に示すように、呼出ボタン３０、通話のためのマイク３１及びスピーカ３２、ＮＴＳＣ信号の映像信号を出力する子機カメラ３３を備え、院内カメラ６は撮像した映像をデジタル信号で出力する。
【００１７】
尚、ナースコール親機３の操作部１４には、後述する監視ボタン１４ａ及び聴取ボタン１４ｂが設けられているし、親機メモリ１３は、監視ボタン１４ａの操作を受けて院内カメラ６，６・・及びインターホン子機５の子機カメラ３３を順次動作させるための撮像順を記憶した監視順記憶部１３ａ、更に聴取ボタン１４ｂの操作を受けてインターホン子機５及びナースコール子機１，１・・を順次動作させるための動作順を記憶した聴取順記憶部１３ｂを構成している。更に、制御機メモリ２２は、個々のナースコール子機１，１・・と院内カメラ６，６・・の関係を記憶したカメラ配置記憶部２２ａを構成している。
【００１８】
このように構成されたナースコールシステムは次のように動作する。但し、患者等によりナースコール子機１が操作されて看護師を呼び出す動作、廊下灯２が呼び出しを表示し、ナースコール親機３から看護師が応答する動作等は、従来のナースコールシステムと同様の動作であるため説明を省略し、ここでは院内カメラ６の撮像映像の流れ、インターホン子機５の子機カメラ３３の撮像映像の流れを中心に説明する。
【００１９】
患者がナースコール子機１の呼出ボタン１ｂを押下して呼び出しが成されたら、子機伝送線Ｌ５、廊下灯２、廊下灯幹線Ｌ２を介して制御機４に呼出信号が伝送される。制御機ＣＰＵ２３は、呼出信号を受信すると親機伝送線Ｌ３を介してナースコール親機３に呼出信号を伝送すると共に、呼出操作されたナースコール子機１に関連付けられた院内カメラ６を制御機メモリ２２から読み取り、関連付けられている院内カメラ６に対して通信線Ｌ５を介して撮像指示信号を送出する。
【００２０】
撮像指示信号を受けた院内カメラ６は撮像を開始し、呼出元のベッド（患者）を含む映像が撮像される。撮像した映像はデジタル信号で送出され、通信線Ｌ５を介して制御機４に送出される。映像信号を受信した制御機４は、制御機ＣＰＵ２３の制御により、伝送された映像信号を映像信号変換部２１でデジタル信号からＮＴＳＣ信号に変換させ、伝送線Ｌ３を介してナースコール親機３に伝送する。
ナースコール親機３は、親機ＣＰＵ１６の制御により、呼出信号を受けて呼出音を報音し、合わせて受信したＮＴＳＣの映像信号を映像制御部１２を介してモニタ１１に表示する。
【００２１】
一方、訪問者等によりインターホン子機５の呼出ボタン３０が操作されて呼出操作されたら、伝送線Ｌ４を介して制御機４に呼出信号が送信される。制御機ＣＰＵ２３は、呼出信号を受信するとナースコール親機３に呼出信号を送出すると共に、インターホン子機５に対して撮像指示信号を送出する。伝送線Ｌ４を介して撮像指示信号を受信したインターホン子機５は、子機カメラ３３を起動して訪問者を撮像し、撮像映像をＮＴＳＣ信号で出力する。
制御機４は、インターホン子機５からの映像信号を受信すると、映像信号変換部２１を経由させずに親機伝送線Ｌ３を介してナースコール親機３に送信する。
ナースコール親機３は、親機ＣＰＵ１６の制御により、呼出信号を受けて呼出音を報音させ、合わせて受信したＮＴＳＣの映像信号を映像制御部１２を介してモニタ１１に表示させる。尚、このとき報音される呼出音はナースコール子機１からの呼び出しとは異なる音或いはメロディで報音される。
【００２２】
このように、デジタル信号で映像信号を出力する院内カメラと、ＮＴＳＣ信号で出力するインターホン子機の子機カメラの撮像映像の双方を簡易な構成のＮＴＳＣモニタに表示させることができる。従って、院内カメラの配線をＬＡＮ配線の如く容易に実施できるし、比較的小規模の病院で使用されるナースコール親機であってもモニタに双方の映像を表示させることができる。
また、インターホン装置とナースコール装置を一体化することができ、システム全体のコストダウンを図ることができるし、パーソナルコンピュータ等のデジタル機器を使用することなく映像を表示するので、シャットダウン等の心配が無く停止し難いシステムを構成できる。
【００２３】
次に、ナースコール親機３の監視ボタン１４ａが操作された場合の動作を説明する。監視ボタン１４ａが操作されると、予め設定された順に院内カメラ６及び子機カメラ３３の撮像映像がモニタ１１に表示される。
監視ボタン１４ａの操作を受けて、親機ＣＰＵ１６は親機メモリ１３の監視順記憶部１３ａから予め設定された監視順情報を読み取り、その情報を基に順次カメラ起動信号を制御機４に送出する。カメラ起動信号を受信した制御機ＣＰＵ２３は、指定されたカメラ（院内カメラ６或いは子機カメラ３３）に対して撮像指示信号を送出して撮像を行わせる。撮像された映像信号は制御機４を介してナースコール親機３に伝送され、モニタ１１に表示される。
このカメラ撮像制御は、監視順情報に基づき親機ＣＰＵ１６が、例えば１０秒毎に順次切り替えて全てのカメラに対して実施され、モニタ１１に撮像映像が順次表示される。
【００２４】
こうして、簡単なボタン操作で病院の出入り口を含めた複数のカメラの撮像映像をナースコール親機から見ることができる。よって、個々のカメラを起動させてモニタに表示させる面倒な操作をすること無く容易に各場所の状況を確認でき、不審者が侵入したり、地震発生等の非常時に活用できる。
【００２５】
ナースコール親機３の聴取ボタン１４ｂが操作された場合の動作は以下のようである。聴取ボタン１４ｂが操作されると、予め設定された順にナースコール子機１、インターホン子機５のマイクが起動すると共に、院内カメラ６或いは子機カメラ３３が連動して撮像動作する。
【００２６】
聴取ボタン１３ｂの操作を受けて、ナースコール親機３の親機ＣＰＵ１６は、親機メモリ１３の聴取順記憶部１３ｂから予め設定された聴取順情報を読み取り、その情報を基にナースコール子機１又はインターホン子機５のマイクを起動させるマイク起動信号を制御機４に送出する。マイク起動信号を受信した制御機ＣＰＵ２３は、マイク起動信号に含まれるナースコール子機１或いはインターホン子機５の子機情報を基に、制御機メモリ２２のカメラ配置記憶部２２ａから関連するカメラ情報を読み取り、ナースコール子機１或いはインターホン子機５に対してマイク起動信号を送信すると共に、院内カメラ６或いは子機カメラ３３のうち関連するカメラに撮像指示信号を送信して撮像を行わせる。
【００２７】
マイク起動信号を受けたインターホン子機１或いはインターホン子機５は、マイクを起動して周囲の音を聴取し、その音を制御機４を介してナースコール親機３に送信する。また、起動したカメラの撮像映像信号も制御機４を経由してインターホン親機３に送信される。尚、院内カメラ６からの映像信号は、映像信号変換部２１でＮＴＳＣ信号に変換されてナースコール親機３に送信される。
この聴取制御は、聴取順情報に基づき親機ＣＰＵ１６が、例えば１０秒毎に順次切り替えて全ての子機（ナースコール子機１及びインターホン子機５）に対して実施され、ナースコール親機３の通話部１５のスピーカから順次報音されると共に、モニタ１１に関連したカメラの撮像映像が順次表示される。
【００２８】
このように、簡単なボタン操作で、入院患者や出入口の状況を順次聴取することができ、更に関連した映像も確認できる。よって、地震発生等の非常時に速やかに状況を確認でき便利である。
【００２９】
尚、上記実施形態では、映像信号変換部２１を制御機４に設けているが、ナースコール親機３に設けても良い。また、監視順記憶部１３ａ、聴取順記憶部１３ｂをナースコール親機３に設け、カメラ配置記憶部２２ａを制御機４に設けているが、制御機４に全ての記憶部を設けても良いし、ナースコール親機３に全ての記憶部を設けても良い。
更に、聴取ボタン１４ｂの操作によりマイクのみ順次能動としたが、マイクを対を成すスピーカも合わせて能動としても良い。この場合、看護師がナースコール親機３から個々の患者に順次問い合わせることができ便利である。
【図面の簡単な説明】
【００３０】
【図１】本発明に係るナースコールシステムの一例を示す構成図である。
【図２】図１のナースコール親機の回路ブロック図である。
【図３】図１の制御機の回路ブロック図である。
【符号の説明】
【００３１】
１・・ナースコール子機、２・・廊下灯、３・・ナースコール親機、４・・制御機、５・・インターホン子機、６・・院内カメラ、１１・・モニタ、１３・・親機メモリ、１３ａ・・監視順記憶部、１３ｂ・・聴取順記憶部、１４・・操作部、１４ａ・・監視ボタン、１４ｂ・・聴取ボタン、１６・・親機ＣＰＵ（監視動作制御部、聴取制御部）、２１・・映像信号変換部、２２・・制御機メモリ、２２ａ・・カメラ配置記憶部、２３・・制御機ＣＰＵ、３１・・マイク、３３・・子機カメラ。
【図１】
2010075376.tif 000003
【図２】
2010075376.tif 000004
【図３】
2010075376.tif 000005